(57)【要約】【課題】被検体に与える苦痛を少なく、被検体毎に固定形状を変えることにより被検体の頭部を定位置に固定できる医用頭部固定具を提供することを目的とする。【解決手段】医用頭部固定具２３は、変形可能な袋２５と、この袋２５に満たされるビーズ２７とを備え、この袋２５は内部の空気を出し入れするための空気孔２９を有する。そして、被検体Ｍの頭部を袋２５に押し当てた状態で空気孔２９から袋２５の内部の空気を抜くことにより、被検体Ｍの頭部の形状を転写した状態で袋２５が固定化する。また、固定化状態の袋２５の内部に空気孔２９から空気を入れることにより、固定化状態の袋２５は固定化前の状態に戻る。よって、医用頭部固定具２３は、空気を抜くと被検体Ｍの頭部の形状を保持したまま固定し、空気を入れると固定前の状態に戻すことができる。【選択図】図５
2011050672.tif 000002
【特許請求の範囲】
【請求項１】
被検体の頭部を固定する医用頭部固定具であって、変形可能な袋と、前記袋に満たされるビーズとを備え、前記袋は内部の空気を出し入れするための空気孔を有し、前記被検体の頭部を押し当てた状態で前記空気孔から前記袋の内部の空気を抜くことにより前記被検体の頭部の形状を転写した状態で前記袋が固定化し、前記空気孔から前記被検体の頭部の形状を転写した状態の前記袋の内部に空気を入れることにより前記袋が固定化前の状態に戻ることを特徴とする医用頭部固定具。
【請求項２】
被検体の頭部を固定する医用頭部固定具であって、弾性を有する袋を備え、前記袋は内部の空気を出し入れするための空気孔を有し、前記被検体の頭部を押し当てた状態で前記空気孔から前記袋の内部に空気を入れることにより前記被検体の頭部の形状を転写した状態で前記袋の内部の圧力が増加し、前記空気孔から前記被検体の頭部の形状を転写した状態の前記袋の内部の空気を抜くことにより前記袋の内部の圧力が空気を入れる前の状態に戻ることを特徴とする医用頭部固定具。
【請求項３】
請求項１または請求項２記載の医用頭部固定具において、前記空気孔から前記袋内に空気を注入または前記袋内の空気を注出することにより被検体の頭部を固定または固定解除する空気注入注出手段とを備えることを特徴とする医用頭部固定具。
【請求項４】
放射性薬剤が投与された被検体から発生する放射線を検出する放射線検出手段と、前記被検体を挿入する開口部の周囲に前記放射線検出手段が配設されるガントリとを備え、前記被検体に投与された放射性薬剤を画像化する核医学診断装置において、前記被検体の頭部を固定する医用頭部固定具を備え、前記医用頭部固定具は、変形可能な袋と、前記袋に満たされるビーズとを備え、前記袋は内部の空気を出し入れするための空気孔を有し、前記被検体の頭部を押し当てた状態で前記空気孔から前記袋の内部の空気を抜くことにより前記被検体の頭部の形状を転写した状態で前記袋が固定化し、前記空気孔から前記被検体の頭部の形状を転写した状態の前記袋の内部に空気を入れることにより前記袋が固定化前の状態に戻るように構成されることを特徴とする核医学診断装置。
【請求項５】
放射性薬剤が投与された被検体から発生する放射線を検出する放射線検出手段と、前記被検体を挿入する開口部の周囲に前記放射線検出手段が配設されるガントリとを備え、前記被検体に投与された放射性薬剤を画像化する核医学診断装置において、前記被検体の頭部を固定する医用頭部固定具を備え、前記医用頭部固定具は、弾性を有する袋と、前記袋の内部の空気を出し入れするための空気孔を有し、前記被検体の頭部を押し当てた状態で前記空気孔から前記袋の内部に空気を入れることにより前記被検体の頭部の形状を転写した状態で前記袋の内部の圧力が増加し、前記空気孔から前記被検体の頭部の形状を転写した状態の前記袋の内部の空気を抜くことにより前記袋の内部の圧力が空気を入れる前の状態に戻るように構成されることを特徴とする核医学診断装置。
【請求項６】
請求項４または請求項５記載の核医学診断装置において、前記空気孔から前記袋内に空気を注入または前記袋内の空気を注出することにより被検体の頭部を固定または固定解除する空気注入注出手段とを備えることを特徴とする核医学診断装置。
【請求項７】
請求項６記載の核医学診断装置において、頭部固定または固定解除に関する指示を入力する入力手段と、前記入力手段による指示を受けて前記空気注入注出手段による空気の注入または空気の注出を制御する制御手段とを備えることを特徴とする核医学診断装置。
【請求項８】
請求項４または請求項５に記載の核医学診断装置において、前記ガントリの開口部及び前記医用頭部固定具には前記医用頭部固定具を前記ガントリの開口部に案内する案内手段が配設されることを特徴とする核医学診断装置。
【請求項９】
請求項４または請求項５に記載の核医学診断装置において、前記ガントリの開口部及び前記医用頭部固定具は、前記医用頭部固定具が前記ガントリの開口部内で回転するときに衝突し合う形状であることを特徴とする核医学診断装置。
【請求項１０】
被検体にＸ線を照射するＸ線照射手段と、前記Ｘ線照射手段から照射されて前記被検体を透過するＸ線を検出するＸ線検出手段と、前記被検体を挿入する開口部を挟んで前記Ｘ線照射手段と前記Ｘ線検出手段とが対向配置されるガントリとを備え、前記被検体の断層画像を取得するＸ線断層撮影装置において、前記被検体の頭部を固定する医用頭部固定具を備え、前記医用頭部固定具は、変形可能な袋と、前記袋に満たされるビーズとを備え、前記袋は内部の空気を出し入れするための空気孔を有し、前記被検体の頭部を押し当てた状態で前記空気孔から前記袋の内部の空気を抜くことにより前記被検体の頭部の形状を転写した状態で前記袋が固定化し、前記空気孔から固化状態の前記袋の内部に空気を入れることにより固化前の状態に戻るように構成されることを特徴とするＸ線断層撮影装置。
【請求項１１】
被検体にＸ線を照射するＸ線照射手段と、前記Ｘ線照射手段から照射されて前記被検体を透過するＸ線を検出するＸ線検出手段と、前記被検体を挿入する開口部を挟んで前記Ｘ線照射手段と前記Ｘ線検出手段とが対向配置されるガントリとを備え、前記被検体の断層画像を取得するＸ線断層撮影装置において、前記被検体の頭部を固定する医用頭部固定具を備え、前記医用頭部固定具は、弾性を有する袋と、前記袋の内部の空気を出し入れするための空気孔を有し、前記被検体の頭部を押し当てた状態で前記空気孔から前記袋の内部に空気を入れることにより前記被検体の頭部の形状を転写した状態で前記袋の内部の圧力が増加し、前記空気孔から前記被検体の頭部の形状を転写した状態の前記袋の内部の空気を抜くことにより前記袋の内部の圧力が空気を入れる前の状態に戻るように構成されることを特徴とするＸ線断層撮影装置。
【発明の詳細な説明】
【技術分野】
【０００１】
この発明は、医用頭部固定具、および、これを備える核医学診断装置ならびにＸ線断層撮影装置に係り、特に、被検体の頭部を定位置に固定する技術に関する。
【背景技術】
【０００２】
従来、この種の器具として、ＰＥＴ（Ｐｏｓｉｔｒｏｎ  Ｅｍｉｓｓｉｏｎ  Ｔｏｍｏｇｒａｐｈｙ）装置やＸ線ＣＴ（Ｃｏｍｐｕｔｅｄ  Ｔｏｍｏｇｒａｐｈｙ）装置を使用して、被検体の核医学用データを収集する際に使用される頭部固定部材がある（例えば、特許文献１参照）。ＰＥＴ装置で核医学用データを収集する場合、被検体は天板に仰向けに寝かされた状態でデータを収集される。頭部のデータを収集する際は、被検体は頭部が収まるような形状の凹部が形成される頭部固定部材に頭部を横たえる。また、場合によってはベルトなどで頭部を固定する。このように、データ収集中に頭部が動くことによる偽像（アーチファクト）を生じないようにする。
【０００３】
一方、被検体の上半身のデータを収集する際は、袋状の外周部材の内部に多数の球状のビーズが詰め込まれる上半身固定部材を天板と体幹部との間に設置することが知られている（例えば、特許文献１参照）。この上半身固定部材の内部から空気を吸引することによりビーズが圧着して、上半身固定部材は被検体の上半身の形状に合わせて固定される。
【０００４】
ところで、頭部のデータを収集する際は、被検体を天板に仰向けに寝かせた状態での収集に加えて、被検体を座位または立位など通常の平常時の状態でデータを収集することにより、診断上の効果が期待される。このような収集方法を採る核医学診断装置において、開口部の周囲に放射線検出器が配設されるガントリが被検体の上方に備えられる。そして、被検体は上方のガントリの開口部に頭部を挿入した状態でデータを収集される。
【先行技術文献】
【特許文献】
【０００５】
【特許文献１】特開２００５−１１８１２９公報（第９頁、図６、図７）
【発明の概要】
【発明が解決しようとする課題】
【０００６】
しかしながら、このような構成を有する従来例の場合には、次のような問題がある。
すなわち、従来の装置において、座位または立位の場合、被検体をベッドに横たえて頭部を定位置に置くのではなく、首部で頭部の重みを支えるので、頭部を固定することが難しい。また、頭部固定部材を用いることも考えられるが、首部にも頭部の重みがかかるので、被検体をベッドに横たえるように頭部を固定できない。さらに、歯科用のＸ線ＣＴ装置のように、頭部を支持枠や棒で固定することも考えられるが、被検体によっては苦痛を与えると予想される。
【０００７】
この発明は、このような事情に鑑みてなされたものであって、被検体に与える苦痛を少なく、被検体毎に固定形状を変えることにより被検体の頭部を定位置に固定できる医用頭部固定具を提供することを目的とする。
【課題を解決するための手段】
【０００８】
この発明は、このような目的を達成するために、次のような構成をとる。
すなわち、請求項１に記載の発明は、被検体の頭部を固定する医用頭部固定具であって、変形可能な袋と、前記袋に満たされるビーズとを備え、前記袋は内部の空気を出し入れするための空気孔を有し、前記被検体の頭部を押し当てた状態で前記空気孔から前記袋の内部の空気を抜くことにより前記被検体の頭部の形状を転写した状態で前記袋が固定化し、前記空気孔から前記被検体の頭部の形状を転写した状態の前記袋の内部に空気を入れることにより前記袋が固定化前の状態に戻ることを特徴とするものである。
【０００９】
［作用・効果］請求項１に記載の発明によれば、医用頭部固定具は、変形可能な袋と、この袋に満たされるビーズとを備え、この袋は内部の空気を出し入れするための空気孔を有する。そして、被検体の頭部を袋に押し当てた状態で空気孔から袋の内部の空気を抜くことにより、被検体の頭部の形状を転写した状態で袋が固定化する。また、被検体の頭部の形状を転写した状態の袋の内部に空気孔から空気を入れることにより、袋が固定化前の状態に戻る。よって、空気を抜くと被検体の頭部の形状を保持したまま袋が固定化し、空気を入れると袋を固定化前の状態に戻すことができる。これにより、被検体に与える苦痛を少なく、被検体毎に固定形状を変えることにより被検体の頭部を定位置に固定できる。
【００１０】
また、請求項２に記載の発明は、被検体の頭部を固定する医用頭部固定具であって、弾性を有する袋を備え、前記袋は内部の空気を出し入れするための空気孔を有し、前記被検体の頭部を押し当てた状態で前記空気孔から前記袋の内部に空気を入れることにより前記被検体の頭部の形状を転写した状態で前記袋の内部の圧力が増加し、前記空気孔から前記被検体の頭部の形状を転写した状態の前記袋の内部の空気を抜くことにより前記袋の内部の圧力が空気を入れる前の状態に戻ることを特徴とするものである。
【００１１】
［作用・効果］請求項２に記載の発明によれば、医用頭部固定具は、弾性を有する袋を備え、この袋の内部の空気を出し入れするための空気孔を有する。被検体の頭部を袋に押し当てた状態で空気孔から袋の内部に空気を入れることにより、被検体の頭部の形状を転写した状態で袋の内部の圧力が増える。そして、空気孔から被検体の頭部の形状を転写した状態の袋の内部の空気を抜くことにより、袋の内部の圧力が空気を入れる前の状態に戻る。これにより、袋にビーズを入れる場合に比べて固定力は弱いが、被検体の頭の姿勢を支持できるほどの十分な固定力を有する。また、袋が弾性を有するので、少しの動きは許容され、力を掛けないと固定位置への復元力がある。さらに、弾性を有する袋に空気を入れることで頭部を固定できるので、被検体に圧迫感を与えない。
【００１２】
この発明において、前記空気孔から前記袋内に空気を注入または前記袋内の空気を注出することにより被検体の頭部を固定または固定解除する空気注入注出手段とを備えることが好ましい（請求項３）。これにより、空気注入注出手段は空気孔から袋内に空気を注入または袋内の空気を注出する。したがって、被検体に与える苦痛を少なく、被検体毎に固定形状を変えることにより被検体の頭部を定位置に固定できる。加えて、術者は容易に袋内の空気を注入または注出できる。
【００１３】
また、請求項４に記載の発明は、放射性薬剤が投与された被検体から発生する放射線を検出する放射線検出手段と、前記被検体を挿入する開口部の周囲に前記放射線検出手段が配設されるガントリとを備え、前記被検体に投与された放射性薬剤を画像化する核医学診断装置において、前記被検体の頭部を固定する医用頭部固定具を備え、前記医用頭部固定具は、変形可能な袋と、前記袋に満たされるビーズとを備え、前記袋は内部の空気を出し入れするための空気孔を有し、前記被検体の頭部を押し当てた状態で前記空気孔から前記袋の内部の空気を抜くことにより前記被検体の頭部の形状を転写した状態で前記袋が固定化し、前記空気孔から前記被検体の頭部の形状を転写した状態の前記袋の内部に空気を入れることにより前記袋が固定化前の状態に戻るように構成されることを特徴とするものである。
【００１４】
［作用・効果］請求項４に記載の発明によれば、医用頭部固定具は、変形可能な袋と、この袋に満たされるビーズとを備え、この袋は内部の空気を出し入れするための空気孔を有する。被検体の頭部を袋に押し当てた状態で空気孔から袋の内部の空気を抜くことにより、被検体の頭部の形状を転写した状態で袋が固定化する。また、被検体の頭部の形状を転写した状態の袋の内部に空気孔から空気を入れることにより、この袋が固定化前の状態に戻る。よって、医用頭部固定具は、空気を抜くと被検体の頭部の形状を保持したまま袋が固定化し、空気を入れると袋を固定化前の状態に戻すことができる。この医用頭部固定具は核医学診断装置のガントリの開口部に備えられる。これにより、被検体に与える苦痛を少なく、被検体毎に固定形状を変えることにより被検体の頭部と放射線検出手段とを定位置に固定できる。
【００１５】
また、請求項５記載の発明は、放射性薬剤が投与された被検体から発生する放射線を検出する放射線検出手段と、前記被検体を挿入する開口部の周囲に前記放射線検出手段が配設されるガントリとを備え、前記被検体に投与された放射性薬剤を画像化する核医学診断装置において、前記被検体の頭部を固定する医用頭部固定具を備え、前記医用頭部固定具は、弾性を有する袋と、前記袋の内部の空気を出し入れするための空気孔を有し、前記被検体の頭部を押し当てた状態で前記空気孔から前記袋の内部に空気を入れることにより前記被検体の頭部の形状を転写した状態で前記袋の内部の圧力が増加し、前記空気孔から前記被検体の頭部の形状を転写した状態の前記袋の内部の空気を抜くことにより前記袋の内部の圧力が空気を入れる前の状態に戻るように構成されることを特徴とするものである。
【００１６】
［作用・効果］請求項５に記載の発明によれば、医用頭部固定具は、弾性を有する袋と、この袋の内部の空気を出し入れするための空気孔を有する。被検体の頭部を袋に押し当てた状態で空気孔から袋の内部に空気を入れることにより、被検体の頭部の形状を転写した状態で袋の内部の圧力が増加する。そして、空気孔から被検体の頭部の形状を転写した状態の袋の内部の空気を抜くことにより、袋の内部の圧力が空気を入れる前の状態に戻る。この医用頭部固定具は核医学診断装置のガントリの開口部に備えられる。これにより、被検体に与える苦痛を少なく、被検体毎に固定形状を変えることにより被検体の頭部と放射線検出手段とを定位置に固定できる。これに加えて、袋が弾性を有するので、被検体は固定位置から頭部を多少動かすことができる一方、頭部を多少動かしたとしても力を掛けなければ固定位置へ戻すことができる。さらに、袋の内部には空気が入るので、被検体に与える圧迫感が少ない。
【００１７】
この発明において、さらに、前記空気孔から前記袋内に空気を注入または前記袋内の空気を注出することにより被検体の頭部を固定または固定解除する空気注入注出手段とを備えることが好ましい（請求項６）。これにより、空気注入注出手段は空気孔から袋内に空気を注入または袋内の空気を注出する。この医用頭部固定具は核医学診断装置のガントリの開口部に備えられる。したがって、被検体に与える苦痛を少なく、被検体毎に固定形状を変えることにより被検体の頭部と放射線検出手段とを定位置に固定できる。加えて、術者は容易に袋内の空気を注入または注出できる。
【００１８】
この発明において、さらに、頭部固定または固定解除に関する指示を入力する入力手段と、前記入力手段による指示を受けて前記空気注入注出手段による空気の注入または空気の注出を制御する制御手段とを備えることが好ましい（請求項７）。これにより、入力手段は制御手段に対して頭部固定または頭部解除を指示し、制御手段はこの指示を受けて空気注入注出手段に対して空気の注入または注出を開始させるので、被検体の頭部の固定及び固定解放とを円滑に行える。したがって、被検体に与える苦痛を少なく、被検体毎に固定形状を変えることにより被検体の頭部と放射線検出手段とを定位置に固定できる。これに加えて、術者は被検体の頭部を固定および固定解除する度に被検体の側に寄って作業する必要がなくなる。
【００１９】
この発明において、前記ガントリの開口部及び前記医用頭部固定具には前記医用頭部固定具を前記ガントリの開口部に案内する案内手段が配設されることが好ましい（請求項８）。これにより、ガントリと医用頭部固定具とを着脱可能に構成されるので、被検体の頭部を医用頭部固定具に容易に入れることができる。さらに、ガントリの開口部及び医用頭部固定具に案内手段が配設されることにより、ガントリと医用頭部固定具とを着脱可能に構成しても、医用頭部固定具がガントリの開口部の外周回りにずれにくくできる。
【００２０】
この発明において、前記ガントリの開口部及び前記医用頭部固定具は、前記医用頭部固定具が前記開口部内で回転するときに衝突し合う形状であることが好ましい（請求項９）。これにより、ガントリと医用頭部固定具とが着脱可能に構成される場合に、医用頭部固定具がガントリの開口部内で回転するときに、医用頭部固定具と開口部とが衝突するので、医用頭部固定具がガントリの開口部の外周周りにずれににくくできる。
【００２１】
また、請求項１０に記載の発明は、被検体にＸ線を照射するＸ線照射手段と、前記Ｘ線照射手段から照射されて前記被検体を透過するＸ線を検出するＸ線検出手段と、前記被検体を挿入する開口部を挟んで前記Ｘ線照射手段と前記Ｘ線検出手段とが対向配置されるガントリとを備え、前記被検体の断層画像を取得するＸ線断層撮影装置において、前記被検体の頭部を固定する医用頭部固定具であって、前記被検体の頭部を固定する医用頭部固定具を備え、前記医用頭部固定具は、変形可能な袋と、前記袋に満たされるビーズとを備え、前記袋は内部の空気を出し入れするための空気孔を有し、前記被検体の頭部を押し当てた状態で前記空気孔から前記袋の内部の空気を抜くことにより前記被検体の頭部の形状を転写した状態で前記袋が固定化し、前記空気孔から固化状態の前記袋の内部に空気を入れることにより固化前の状態に戻るように構成されることを特徴とするものである。
【００２２】
［作用・効果］請求項１０に記載の発明によれば、医用頭部固定具は、変形可能な袋と、この袋に満たされるビーズとを有し、この袋は内部の空気を出し入れするための空気孔を有する。被検体の頭部を袋に押し当てた状態で空気孔から袋の内部の空気を抜くことにより、被検体の頭部の形状を転写した状態で袋が固定化する。また固定化状態の袋の内部に空気孔から空気を入れることにより、袋は固定化前の状態に戻る。よって、医用頭部固定具は、空気を抜くと被検体の頭部の形状を保持したまま固定し、空気を入れると固定前の状態に戻すことができる。この医用頭部固定具はＸ線断層撮影装置のガントリの開口部に備えられる。これにより、被検体に与える苦痛を少なく、被検体毎に固定形状を変えることにより被検体の頭部とＸ線検出手段とを定位置に固定できる。
【００２３】
また、請求項１１に記載の発明は、被検体にＸ線を照射するＸ線照射手段と、前記Ｘ線照射手段から照射されて前記被検体を透過するＸ線を検出するＸ線検出手段と、前記被検体を挿入する開口部を挟んで前記Ｘ線照射手段と前記Ｘ線検出手段とが対向配置されるガントリとを備え、前記被検体の断層画像を取得するＸ線断層撮影装置において、前記被検体の頭部を固定する医用頭部固定具を備え、前記医用頭部固定具は、弾性を有する袋と、前記袋の内部の空気を出し入れするための空気孔を有し、前記被検体の頭部を押し当てた状態で前記空気孔から前記袋の内部に空気を入れることにより前記被検体の頭部の形状を転写した状態で前記袋の内部の圧力が増加し、前記空気孔から前記被検体の頭部の形状を転写した状態の前記袋の内部の空気を抜くことにより前記袋の内部の圧力が空気を入れる前の状態に戻るように構成されることを特徴とするものである。
【００２４】
［作用・効果］請求項１１に記載の発明によれば、この医用頭部固定具は、弾性を有する袋と、この袋の内部の空気を出し入れするための空気孔を有し、被検体の頭部を押し当てた状態でこの空気孔からこの袋の内部に空気を入れることにより被検体の頭部の形状を転写した状態でこの袋の内部の圧力が増加し、この空気孔から被検体の頭部の形状を転写した状態のこの袋の内部の空気を抜くことによりこの袋の内部の圧力が空気を入れる前の状態に戻すことができる。この医用頭部固定具はＸ線断層撮影装置のガントリの開口部に備えられる。これにより、被検体に与える苦痛を少なく、被検体毎に固定形状を変えることにより被検体の頭部とＸ線検出手段とを定位置に固定できる。これに加えて、袋が弾性を有するので、被検体は固定位置から頭部を多少動かすことができる一方、頭部を多少動かしたとしても力を掛けなければ固定位置へ戻すことができる。さらに、袋の内部には空気が入るので、被検体に与える圧迫感が少ない。
【発明の効果】
【００２５】
この発明に係る医用頭部固定具によれば、変形可能な袋と、この袋に満たされるビーズとを備え、この袋は内部の空気を出し入れするための空気孔を有する。そして、被検体の頭部を袋に押し当てた状態で空気孔から袋の内部の空気を抜くことにより、被検体の頭部の形状を転写した状態で袋が固定化する。また、被検体の頭部の形状を転写した状態の袋の内部に空気孔から空気を入れることにより、袋が固定化前の状態に戻る。これにより、被検体に与える苦痛を少なく、被検体毎に固定形状を変えることにより被検体の頭部を定位置に固定できる。
【図面の簡単な説明】
【００２６】
【図１】実施例１の全体構成を示すブロック図である。
【図２】実施例１の全体構成を示す分解斜視図である。
【図３】実施例１のガントリおよび医用頭部固定具の断面図である。
【図４】（ａ）及び（ｂ）は実施例１の医用頭部固定具の使用状態を示す断面図である。
【図５】実施例１の医用頭部固定具による頭部の固定を示す模式的な断面図である。
【図６】実施例２のガントリおよび医用頭部固定具の断面図である。
【図７】（ａ）及び（ｂ）は実施例２の医用頭部固定具の使用状態を示す断面図である。
【図８】実施例２の全体構成を示す分解斜視図である。
【図９】実施例２のガントリおよび医用頭部固定具の断面図である。
【図１０】（ａ）及び（ｃ）は実施例２の医用頭部固定具の使用状態を示す断面図である。
【図１１】実施例３の全体構成を示す斜視図である。
【図１２】変形例１の医用頭部固定具の使用状態を示す断面図である。
【実施例１】
【００２７】
以下、図１ないし図３を参照してこの発明の実施例１を説明する。図１は、実施例１の全体構成を示すブロック図である。図２は、実施例１の全体構成を示す分解斜視図である。図３は、実施例１に備えられるガントリおよび医用頭部固定具を図２に示す矢印ＡＡの断面から見る断面図である。
【００２８】
実施例１のＰＥＴ装置１は、放射性薬剤が投与された被検体Ｍを座らせる椅子３と、椅子３を駆動する椅子駆動部５と、被検体Ｍを挿入できるトンネル状の開口部７を有するガントリ９と、ガントリ９を駆動するガントリ駆動部１１と、開口部７の周囲に配設され被検体から放出される放射線を検知して放射線検出信号を出力する放射線検出器１３と、放射線検出器１３から出力される核医学用データを収集するデータ収集部１５と、データ収集部１５で集められた核医学用データをＣＲＴまたは紙媒体に表示する表示部１７と、椅子駆動部５とガントリ駆動部１１とデータ収集部１５と表示部１７を制御する制御部１９と、制御部１９に対する指示を入力する入力部２１とを備える。さらに、ＰＥＴ装置１は、被検体Ｍの頭部を放射線検出器１３と定位置に固定する医用頭部固定具２３が備えられる。なお、医用頭部固定具２３は本発明の医用頭部固定具に相当し、ＰＥＴ装置１は、本発明の核医学診断装置に相当する。また、入力部２１はこの発明の入力手段に相当し、制御部１９はこの発明の制御手段に相当する。
【００２９】
医用頭部固定具２３はガントリ９の開口部７の外周面８に取り付けられる。外周面８はトンネル状の開口部７の外壁部分である。以下では、図１の位置関係で、被検体Ｍに近い側の開口部７を開口部７ａと呼び、被検体Ｍに遠い側の開口部７を開口部７ｂと呼ぶ。
【００３０】
医用頭部固定具２３は、ビニールなどの合成樹脂やナイロンなどの合成繊維でできた変形可能な袋２５と、発泡スチロールビーズ（発泡ビーズ）やナイロンビーズなどの合成樹脂性のビーズ２７とが備えられる。さらに、袋２５は内部の空気を出し入れする空気孔２９を有し、空気孔２９からの空気の出し入れを調節する弁３１と、袋２５の内部から空気を注出または袋２５の内部に空気を注入するポンプ３３とが備えられる。医用頭部固定具２３は被検体Ｍの放射線発生源の近くで使用されるので、袋２５、ビーズ２７、空気孔２９、弁３１には被検体から発生した放射線を吸収しにくい素材が使用される。ビーズ２７には、およそ直径４ｍｍないし５ｍｍのものが使用される。ビーズ２７は、つぶれなくて変形量の少ないものであればよい。袋２５の素材、ビーズ２７の素材および大きさは、上記内容に限定されない。なお、袋２５はこの発明の袋に相当し、ビーズ２７はこの発明のビーズに相当し、空気孔２９はこの発明の空気孔に相当する。また、ポンプ３３はこの発明の空気注入注出手段に相当する。
【００３１】
袋２５は内部の気圧の変化により変形する。具体的には、ポンプ３３が弁３１に接続されて、袋２５の内部の空気が注出されることにより、袋２５の体積が減少する。
【００３２】
医用頭部固定具２３の開口部７ａ側の面には伸び代２５ａが設けられる。なお、図示の都合上、伸び代２５ａは袋２５の開口部７ａ側の湾曲面として表示される。被検体Ｍは、頭部を医用頭部固定具２３に押し当てると、袋２５の伸び代２５ａによって頭部の外周面が覆われる。
【００３３】
医用頭部固定具２３とガントリ９とは一部で固定される。具体的には、図２の二点鎖線の矢印で示す範囲の固定箇所２３において、医用頭部固定具２３とガントリ９の開口部７の外周面８とが固定される。医用頭部固定具２３とガントリ９とを一部で固定することにより、医用頭部固定具２３の袋２５は最大で二点鎖線の矢印で示す伸び代２５ｂを収縮できる。
【００３４】
開口部７は、ガントリ９を貫通するトンネルであるが、開口部７の形状はこれに限定されず、ガントリ９を貫通しないドーム状であってもよい。
【００３５】
放射線検出器１３は、開口部７の外周面８の裏側、すなわち被検体Ｍを挿入する側の反対側に配設される。放射線検出器１３は、蛍光体（シンチレータ）と光電子増倍管を接合させたシンチレーション検出器で構成される。放射線検出器１３は、開口部７の外周面８を取り囲むようにしてリング状に配設される。なお、放射線検出器１３は、この発明の放射線検出手段に相当する。
【００３６】
ガントリ駆動部１１は、椅子３に座らされる被検体に対してガントリ９を上下方向に駆動する。なお、この上下方向とは鉛直方向に限られない。ガントリ９は放射線検出器１３や鉛製のシールドなどを含めると１トン近くにとなることもある。そこで、ガントリ９を被検体Ｍの真上に配設することは被検体Ｍに与える不安が大きいと考えられるので、鉛直方向に対して斜め上下方向に駆動させてもよい。椅子駆動部１３は、ガントリ９の駆動方向に合わせて、椅子３を起倒動させる。
【００３７】
データ収集部１５は、放射線検出器１３から出力される放射線検出信号に対して、同時計数や位置計算や波高値分析などして核医学用データとして収集メモリに収集する。表示部１７は、収集メモリに収集された核医学用データに基づいてＣＲＴや紙媒体などに核医学用データを表示する。
【００３８】
制御部１９は、ガントリ駆動部１１の駆動や、椅子駆動部１３の駆動や、データ収集部１５の収集タイミングに加え、ポンプ３３による空気の注入注出を制御する。入力部２１は、ガントリ駆動部１１の駆動や、椅子駆動部１３の駆動や、データ収集部１５の収集タイミングの指示に加え、ポンプ３３による頭部固定および固定解除を指示する。
【００３９】
図４および図５を参照してガントリ９に備えられる医用頭部固定具２３を用いて被検体Ｍの頭部を固定するときの実施例１の使用状態を説明する。図４は、実施例１の医用頭部固定具２３の使用状態を図２に示す矢印ＡＡの断面から見る断面図である。図４（ａ）は、ガントリ９に備えられる医用頭部固定具２３に被検体Ｍの頭部を押し当てた状態を示す断面図である。図４（ｂ）は、（ａ）の医用頭部固定具２３の内部から空気が注出される状態を示す断面図である。図５は、医用頭部固定具２３が被検体Ｍの頭部を固定する様子を示す模式的な断面図である。図５（ａ）は、空気注出される前のビーズ２７の様子を示す模式的な断面図である。図５（ｂ）は、空気が注出された後の袋２５の形状変化とビーズ２７の隙間の変化を示す模式的な断面図である。
【００４０】
図４（ａ）に示すガントリ９に備えられる医用頭部固定具２３に被検体Ｍの頭部を押し当てる。これにより、被検体Ｍの頭部のおよそ半分ほどが医用頭部固定具２３に埋没する。この状態で、被検体Ｍの頭部と放射線検出器１３との位置を決める。このとき図５（ａ）に示すように、医用頭部固定具２３内のビーズ２７ａは隣り合うビーズ２７ｂとの間に隙間２８を有する。次に、図４（ｂ）に示すように術者は弁３１にポンプ３３を接続して、医用頭部固定具２３の内部の空気を注出する。すると、ビーズ２７ａ、２７ｂ間の空気が空気孔２９を通って袋２５外に注出される。このように、袋２５内のいたるところでビーズ２７間の空気が袋２５外に注出される。これに伴い、開口部７ｂ側の袋２５が固定箇所３５まで収縮する。図５（ａ）で示されるビーズ２７ａ、２７ｂ間の隙間２８と比べて、（ｂ）で示されるビーズ２７ａ、２７ｂ間の隙間２８は小さくなる。袋２５が被検体Ｍの頭部の形状に合わせて固まることにより、医用頭部固定具２３は被検体Ｍの頭部の形状を保持したまま固定する。
【００４１】
ＰＥＴ装置１でのデータ収集が終われば、弁３１を開けて医用頭部固定具２３内に空気を入れる。すると、袋２５およびビーズ２７ａ、２７ｂ間の隙間２８は注出前の状態に戻る。他のビーズ２７も注出前の状態に戻る。これにより、被検体Ｍの頭部は固定を解除される。医用頭部固定具２３は、内部の空気の出し入れによって繰り返し使用できる。
【００４２】
実施例１に関わる発明によれば、医用頭部固定具２３は、変形可能な袋２５と、この袋２５に満たされるビーズ２７とを備え、この袋２５は内部の空気を出し入れするための空気孔２９を有する。そして、被検体Ｍの頭部を袋２５に押し当てた状態で空気孔２９から袋２５の内部の空気を抜くことにより、被検体Ｍの頭部の形状を転写した状態で袋２５の体積が減るので、袋２５が固定化する。また、被検体Ｍの頭部の形状を転写した状態の袋２５の内部に空気孔２９から空気を入れることにより、袋２５の体積が増加するので、袋２５が固定化前の状態に戻る。よって、空気を抜くと被検体Ｍの頭部の形状を保持したまま袋２５が固定化し、空気を入れると袋２５を固定化前の状態に戻すことができる。これにより、被検体Ｍに与える苦痛を少なく、被検体Ｍ毎に固定形状を変えることにより被検体Ｍの頭部を定位置に固定できる。
【００４３】
実施例１に関わる発明によれば、医用頭部固定具２３には、空気孔２９からの空気の出し入れを調整する弁３１と、空気孔２９から袋２５内に空気を注入または袋２５内の空気を注出することにより被検体Ｍの頭部を固定または固定解除するポンプ３３とが備えられる。これにより、被検体Ｍに与える苦痛を少なく、被検体Ｍ毎に固定形状を変えることにより被検体Ｍの頭部を定位置に固定できる。加えて、術者は弁３１およびポンプ３３とを使用して容易に袋２５内の空気を注入または注出できる。
【００４４】
実施例１に関わる発明によれば、医用頭部固定具２３は、空気を抜くと被検体Ｍの頭部の形状を保持したまま固定し、空気を導入すると固定前の状態に戻すことができる。この医用頭部固定具２３はＰＥＴ装置１のガントリ９の開口部７に備えられる。これにより、被検体Ｍに与える苦痛を少なく、被検体Ｍ毎に固定形状を変えることにより被検体Ｍの頭部と放射線検出器１３とを定位置に固定できる。
【００４５】
実施例１に関わる発明によれば、ＰＥＴ装置１には、さらに、頭部固定または固定解除に関する指示を入力する入力部２１と、入力部２１による指示を受けてポンプ３３による空気の注入または空気の注出を制御する制御部１９とを備える。これにより、入力部２１は制御部１９に対して頭部固定または頭部解除を指示し、制御部１９はこの指示を受けてポンプ３３に対して空気の注入または注出を開始させるので、被検体Ｍの頭部の固定及び固定解放とを円滑に行える。したがって、被検体Ｍに与える苦痛を少なく、被検体Ｍ毎に固定形状を変えることにより被検体の頭部と放射線検出手段とを定位置に固定できる。これに加えて、術者は被検体Ｍの頭部を固定および固定解除する度に被検体の側に寄って作業する必要がなくなる。
【実施例２】
【００４６】
図６ないし図７を参照してこの発明の実施例２を説明する。図６は、実施例２に備えられるガントリおよび医用頭部固定具の断面図である。図７は、実施例２の医用頭部固定具の使用状態を示す断面図である。なお、実施例２の全体構成は、図１に示す実施例１の全体構成と同様であるので、重複記載を避けるため省略する。
【００４７】
実施例２のＰＥＴ装置１は、弾性を有する袋５１で構成される医用頭部固定具５３を備える。袋５１は二点鎖線の矢印で示す固定範囲５２でガントリ９と固定される。例えば、袋５１の素材は、天然ゴムやポリウレタンなどの合成ゴムやその他の弾性体である。袋５１の弾性は、被検体Ｍの頭部が医用頭部固定具５３の伸び代２５ａに押し当てられたときに、被検体Ｍが頭部を定位置に保持できる程のものであればよい。袋５１の内部にはビーズではなく空気が満たされる。すなわち、医用頭部固定具５３は、袋５１内への空気の注入によって袋５１の体積が増加することを利用して被検体Ｍの頭部を定位置に固定する。その他の構成は実施例１と同様であるので、重複記載を避けるため省略する。
【００４８】
次に、医用頭部固定具５３の使用状態を説明する。医用頭部固定具５３の伸び代２５ａに被検体Ｍの頭部を押し当て、被検体Ｍの頭部と放射線検出器１３との位置を決める。次に、術者は弁３１にポンプ３３を接続して、袋５１の内部に空気を注入する。すると、図７（ａ）において袋５１と被検体Ｍの頭部との間には隙間５５が生じたが、（ｂ）において矢印５７に示す空気の圧力によって袋５１が被検体Ｍの頭部を支持する。このように、袋５１の伸び代２５ａおよび弾性の範囲内で袋５１の内部に空気が注入され、袋５１の体積が増加する。これにより被検体Ｍの頭部は袋５１に支持されて定位置に固定される。
【００４９】
ＰＥＴ装置１でのデータ収集が終われば、弁３１を開けて袋５１内の空気を注出する。または、ポンプ３３が袋５１内の空気を注出する。これにより、袋５１の体積が減少するので、被検体Ｍの頭部は固定を解除される。医用頭部固定具５３は、内部の空気の出し入れによって繰り返し使用できる。
【００５０】
実施例２に関わる発明によれば、医用頭部固定具５３は、弾性を有する袋５１を備える。被検体Ｍの頭部を袋５１に押し当てた状態で空気孔２９から袋５１の内部に空気を入れることにより、被検体Ｍの頭部の形状を転写した状態で袋５１の体積が増えるので、袋５１の内部の圧力が増加する。そして、空気孔２９から被検体Ｍの頭部の形状を転写した状態の袋５３の内部の空気を抜くことにより、袋５１の体積が減るので、袋５１の内部の圧力が空気を入れる前の状態に戻る。これにより、袋５１にビーズを入れる場合に比べて固定力は弱いが、被検体Ｍの頭の姿勢を支持できるほどの十分な固定力を有する。また、袋５１が弾性を有するので、少しの動きは許容され、力を掛けないと固定位置への復元力がある。さらに、弾性を有する袋５１に空気を入れることで頭部を固定できるので、被検体Ｍに圧迫感を与えない。
【００５１】
実施例２に関わる発明によれば、医用頭部固定具５３は、空気を抜くと被検体Ｍの頭部の形状を保持したまま固定し、空気を導入すると固定前の状態に戻すことができる。この医用頭部固定具５３はＰＥＴ装置１のガントリ９の開口部７に備えられる。これにより、被検体Ｍに与える苦痛を少なく、被検体Ｍ毎に固定形状を変えることにより被検体Ｍの頭部と放射線検出器１３とを定位置に固定できる。
【実施例３】
【００５２】
次に、図８および図９を参照してこの発明の実施例３を説明する。図８は、実施例３の全体構成を示す分解斜視図である。図９は、実施例３に備えられるガントリ９および医用頭部固定具１０３を図８に示す矢印ＡＡの断面から見る断面図である。なお、実施例１と同様の構成部分については、適宜同じ符号を用いて説明する。
【００５３】
実施例３のＰＥＴ装置１０１は、放射性薬剤が投与された被検体Ｍを座らせる椅子３（なお、図示では椅子３を省略する。）と、被検体Ｍの頭部を固定する医用頭部固定具１０３と、医用頭部固定具１０３が取り付けられる開口部７と、開口部７を有するガントリ９と、開口部７の周囲に配設される放射線検出器１３とが備えられる。医用頭部固定具１０３は後述するようにガントリ９から着脱可能に構成される。なお、医用頭部固定具１０３の素材は実施例１に示す医用頭部固定具２３と同じであるので、重複記載を避けるため省略する。
【００５４】
ガントリ９の開口部７の外周面８には、ガイド部材１０５ａが配設され、その対向位置にはガイド部材１０５ｂが配設される。医用頭部固定具１０３の外周面１０４には、レール部材１０７ａが配設され、その対向位置にはレール部材１０７ｂが配設される。ガイド部材１０５ａ、１０５ｂは、それぞれレール部材１０７ａ、１０７ｂを案内する。なお、ガイド部材１０５ａ、１０５ｂ、およびレール部材１０７ａ、１０７ｂは、この発明の案内手段に相当する。
【００５５】
図９に示すように、ガントリ９の開口部７がトンネル形状の場合、ガイド部材１０５ａ、１０５ｂの開口部７ｂ側には、ストッパー１０９ａ、１０９ｂが配設される。これにより、医用頭部固定具１０３が開口部７ｂよりも上方にずれにくくなる。また、ガントリ９の開口部７がトンネル形状またはドーム形状いずれでも、ガントリ９の開口部７ａ側には、ストッパー１１１ａ、１１１ｂが配設される。ストッパー１１１ａ、１１１ｂはガイド部材１０５ａ、１０５ｂの開口部７ａ側を破線矢印に示すように開閉自在に構成さる。これにより、医用頭部固定具１０３が開口部７ａよりも下方にずれにくくなる。
【００５６】
医用頭部固定具１０３とレール部材１０７ａ、１０７ｂとは一部で固定される。具体的には、図８の二点鎖線の矢印で示す範囲の固定箇所１１３において、医用頭部固定具１０３とレール部材１０７ａ、１０７ｂとが固定される。医用頭部固定具１０３とレール部材１０７ａ、１０７ｂとが一部で固定されることにより、医用頭部固定具１０３の袋２５は最大で二点鎖線の矢印に示す収縮範囲１１４を収縮できる。
【００５７】
図１０を参照してガントリ９から着脱可能に構成される医用頭部固定具１０３を用いて被検体Ｍの頭部を固定するときの実施例３の使用状態を説明する。図１０は、実施例３の医用頭部固定具１０３の使用状態を図５に示す矢印ＡＡの断面から見る断面図である。図１０（ａ）は、ガントリ９から取り外された医用頭部固定具１０３に被検体Ｍの頭部を押し当てた状態を示す断面図である。図１０（ｂ）は、（ａ）の医用頭部固定具１０３の内部から空気を吸引した状態を示す断面図である。図１０（ｃ）は、医用頭部固定具１０３をガントリ９に取り付けた状態を示す断面図である。
【００５８】
医用頭部固定具１０３に被検体Ｍの頭部を押し当てる。これにより、被検体Ｍの頭部のおよそ半分ほどが医用頭部固定具１０３に埋没する。この状態で、被検体Ｍの頭部と放射線検出器１３との位置を決める。次に、術者は弁３１にポンプ３３を接続して、医用頭部固定具１０３の内部の空気を吸引する。これに伴い、袋２５が固定箇所１１３まで収縮する。これにより、医用頭部固定具１０３は被検体Ｍの頭部の形状を保持したまま固定する。なお、医用頭部固定具１０３の固定については、実施例１で図５を用いて説明した通りであるので、重複記載を避けるため省略する。次に、術者は、被検体Ｍが固定された状態の頭部固定具１０３のレール部材１０７ａ、１０７ｂと、ガントリ９の開口部７に備えられるガイド部材１０５ａ、１０５ｂとを合わせて、頭部固定具１０３を開口部７に挿入する。挿入された頭部固定具１０３のレール部材１０７ａ、１０７ｂは、ストッパー１０９ａ、１０９ｂに当たって止まる。最後に、術者はストッパー１１１ａ、１１１ｂを閉じて、頭部固定具１０３が開口部７から落ちないようにする。
【００５９】
実施例３に関わる発明によれば、ガントリ９と医用頭部固定具１０３とを着脱可能に構成されるので、被検体Ｍの頭部を医用頭部固定具１０３に容易に入れることができる。さらに、ガントリの開口部７にはガイド部材１０５ａ、１０５ｂが配設され、医用頭部固定具１０３にはレール部材１０７ａ、１０７ｂが配設されることにより、ガントリ９と医用頭部固定具１０３とを着脱可能に構成しても、医用頭部固定具１０３がガントリ９の開口部７の外周回りにずれにくくできる。
【実施例４】
【００６０】
次に、図１１を参照してこの発明の実施例４を説明する。図１１は、実施例４の全体構成を示す分解斜視図である。なお、実施例１ないし実施例３と同様の構成部分については、適宜同じ符号を用いて説明する。
【００６１】
実施例４のＸ線ＣＴ装置２０１は、被検体Ｍを座らせる椅子３（なお、図示では椅子３を省略する。）と、被検体Ｍの頭部を固定する医用頭部固定具２３と、医用頭部固定具２３が取り付けられる開口部２０３と、開口部２０３を有するガントリ２０５と、被検体ＭにＸ線を照射するＸ線管２０７と、被検体Ｍを透過したＸ線を検出するＸ線検出器２０９とが備えられる。Ｘ線管２０７はこの発明のＸ線照射手段に相当し、Ｘ線検出器２０９はこの発明のＸ線検出手段に相当する。Ｘ線ＣＴ装置２０１は、本発明のＸ線断層撮影装置に相当する。
【００６２】
開口部２０３は、ガントリ２０５を貫通するトンネル状である。このトンネルの外壁を外周面２０４という。医用頭部固定具２３はガントリ２０５の外周面２０４に取り付けられる。医用頭部固定具２３とガントリ２０５とは一部で固定される。固定箇所は実施例１の固定箇所と同じであるので、重複記載を避けるため省略する。
【００６３】
Ｘ線管２０７とＸ線検出器２０９とは、開口部２０３に被検体Ｍを挿入する側の裏側に開口部２０３を挟んで対向配置される。Ｘ線管２０７とＸ線検出器２０９とは図示されない駆動機構によって開口部２０３回りに回転駆動される。Ｘ線検出器２０９は、フラットパネル型Ｘ線検出器（ＦＰＤ）であってもよいし、その他のＸ線検出器であってもよい。
【００６４】
ガントリ２０５に備えられる医用頭部固定具２３に被検体Ｍの頭部を固定する構成は実施例１と同じであるので、重複記載を避けるため省略する。なお、本実施例では、医用頭部固定具２３はガントリ２０５に一部で固定されているが、ガントリ２０５にガイド部材１０５ａ，１０５ｂが備えられ、医用頭部固定具２３にレール部材１０７ａ，１０７ｂが備えられ、ガントリ２０５から医用頭部固定具２３を着脱可能に構成しても構わない。この場合、具体的な構成は実施例３と同様である。
【００６５】
実施例４に関わる発明によれば、医用頭部固定具２３は、空気を抜くと被検体Ｍの頭部の形状を保持したまま袋２５が固定化し、空気を入れると袋２５が固定化前の状態に戻すことができる。この医用頭部固定具２３はガントリ２０５の開口部２０３に備えられる。これにより、被検体Ｍに与える苦痛を少なく、被検体Ｍ毎に固定形状を変えることにより被検体Ｍの頭部とＸ線検出器２０９とを定位置に固定できる。
【００６６】
この発明は、上記実施形態に限られることはなく、下記のように変形実施することができる。
【００６７】
（１）上述した各実施例では、医用頭部固定具２３、５３、１０３は被検体Ｍの頭部のみを固定するが、図１１のように頭部が椅子３のヘッドレスト２１１に載置される場合、頭部とヘッドレスト２１１とを合わせて固定してもよい。
【００６８】
（２）上述した実施例２では、ガイド部材１０５ａ、１０５ｂ、レール部材１０７ａ、１０７ｂが備えられ、医用頭部固定具１０３およびガントリ９が着脱可能であったが、これらを備えない構成であってもよい。すなわち、頭部固定具１０３とガントリ９の開口部７は、頭部固定具１０３がガントリ９の開口部７内で回転するときに衝突し合うような形状に形成される。例えば、開口部７の形状と、医用頭部固定具１０３の形状とを楕円形とする。このとき、ガントリ９の開口部７内で、開口部７の楕円形状と医用頭部固定具１０３の楕円形状とが衝突し合うので、ガイド部材１０５ａ、１０５ｂやレール部材１０７ａ、１０７ｂを備えなくても医用頭部固定具１０３がガントリ９の外周面８回りにずれにくくなる。
【００６９】
開口部７および医用頭部固定具１０３の形状は楕円形に限定されない。四角形や三角形など開口部７と医用頭部固定具１０３とが開口部７の外周回りに回転するときに衝突し合う形状であればよい。なお、開口部７と医用頭部固定具１０３の形状にかかわらず、放射線検出器１３はリング状でよい。
【００７０】
（３）上述した各実施例では、被検体Ｍを座位で撮影していたが、立位で撮影しても構わない。また、被検体Ｍをベッドに水平に寝かせた状態で、ガントリ９、２０５を被検体Ｍに対して垂直に立たせた状態であっても構わない。
【００７１】
（４）上述した各実施例では、ガントリ９、２０５が被検体Ｍの真上に位置するが、ガントリ９、２０５が被検体Ｍの斜め上方にあってもよい。この場合、被検体Ｍが座る椅子３も椅子駆動部１３により斜めに傾ければ、被検体Ｍの頭部をガントリ９、２０５の開口部７、２０３に容易に挿入できる。
【００７２】
（５）上述した実施例１ないし実施例３では、医用頭部固定具２３、５３、１０３がＰＥＴ装置１、１０１に備えられるが、ＳＰＥＣＴ（Ｓｉｎｇｌｅ  Ｐｈｏｔｏｎ  Ｅｍｉｓｓｉｏｎ  Ｃｏｍｐｕｔｅｄ  Ｔｏｍｏｇｒａｐｈｙ）装置に備えられても構わない。
【００７３】
（６）上述した実施例１ないし実施例３ではＰＥＴ装置１、１０１を想定し、実施例４ではＸ線ＣＴ装置２０１を想定するが、一般Ｘ線撮影装置であっても撮影中に頭部を固定する必要があれば、本発明に係る医用頭部固定具２３、５３、１０３が使用できる。この一般Ｘ線撮影装置は、立位または座位の被検体Ｍと、被検体Ｍを挟んで対向配置されるＸ線管とＸ線検出器と、Ｘ線管とＸ線検出器との間に棒や枠などで保持されて配設される医用頭部固定具２３、１０３とが備えられる。
【００７４】
（７）上述した各実施例では、ガントリ９、２０５の移動を考慮しなかったが、ガントリ駆動部１１がガントリ９、２０５を移動させても構わない。すなわち、従来のＰＥＴ装置やＸ線ＣＴ装置の場合、ガントリを傾かせるときや、スライス位置を変更するためにガントリを動かすときに、被検体Ｍは長時間の静止状態による苦痛や、顔面でガントリが動くことによる恐怖心から頭部を静止し続けることができないことがある。被検体Ｍが動くことにより被検体Ｍと放射線検出器１３やＸ線検出器２０９とが定位置からずれてしまう。そこで、医用頭部固定具２３、１０３を使用すれば、被検体Ｍの固定状態を保つことができる。
【００７５】
（８）上述した各実施例では、ポンプ３３を用いて袋２５，５１の内部への空気の注入および注出をするが、ポンプ３３を用いないで手動で空気を注入および注出しても構わない。
【００７６】
（９）上述した実施例４では、袋２５の内部にビーズを有する医用頭部固定具２３を用いたが、弾性を有する袋５１を備える医用頭部固定具５３を用いても構わない。
【符号の説明】
【００７７】
２３      …医用頭部固定具
２５      …袋
２７      …ビーズ
２８      …隙間
２９      …空気孔
３１      …弁
３３      …ポンプ
３５      …固定箇所
Ｍ        …被検体  
【図１】
2011050672.tif 000003
【図２】
2011050672.tif 000004
【図３】
2011050672.tif 000005
【図４】
2011050672.tif 000006
【図５】
2011050672.tif 000007
【図６】
2011050672.tif 000008
【図７】
2011050672.tif 000009
【図８】
2011050672.tif 000010
【図９】
2011050672.tif 000011
【図１０】
2011050672.tif 000012
【図１１】
2011050672.tif 000013
【図１２】
2011050672.tif 000014